【手続補正書】
【提出日】平成16年6月14日(2004.6.14)
【手続補正１】
【補正対象書類名】特許請求の範囲
【補正対象項目名】全文
【補正方法】変更
【補正の内容】
【特許請求の範囲】
【請求項１】
次式の化合物
【化１】
2005508897.tif 000001
式中、Xはイオウまたは酸素であり；
Ｒ’、Ｒ’’は、同一であっても異なっていてもよく、それぞれ独立に水素、ヒドロキシ、ハロゲン、ニトロ、シアノ、アリル、直鎖状または分岐状（Ｃ1 −Ｃ20）アルキル、（Ｃ3 −Ｃ20）シクロアルキル、（Ｃ1 −Ｃ20）アルコキシ、（Ｃ1 −Ｃ20）アルキルアセチレニル、フェニルアセチレニル、（Ｃ1 −Ｃ20）アルケニル、フェニルビニル、ハロ（Ｃ1 −Ｃ20）アルキル、ハロ（Ｃ3 −Ｃ20）シクロアルキル、ハロ（Ｃ1 −Ｃ20）アルコキシ、任意に（Ｃ1 −Ｃ6 ）アルキルまたは（Ｃ1 −Ｃ6 ）アルコキシで置換されたアリール、アリールオキシもしくはヘテロアリール；アリールアルキルまたはヘテロアリールアルキル；任意に（Ｃ1 −Ｃ6 ）アルキルまたは（Ｃ1 −Ｃ6 ）アルコキシで置換された炭素数５または６の窒素含有ヘテロ環、−Ｎ（Ｒ1 ）Ｒ2 、ＣＯＮ（Ｒ1 ）Ｒ2 （ただし、（Ｒ1 およびＲ2 は、同一または異なっていてもよいが、それぞれ独立に水素、（Ｃ1 −Ｃ20）アルキル、（Ｃ3 −Ｃ20）シクロアルキル、および任意に置換されているフェニルである）；−ＯＣＯＲ、−ＣＯＯＲまたは−ＣＯＲ（ただし、Ｒは水素、（Ｃ1 −Ｃ20）アルキル、（Ｃ3 −Ｃ20）シクロアルキル、または任意に（Ｃ1 −Ｃ6 ）アルキルまたは（Ｃ1 −Ｃ6 ）アルコキシで置換されたアリールもしくはヘテロアリールであり；
Ａ’およびＡ’’は、同一であっても異なっていてもよく、それぞれ独立に
直鎖状もしくは分岐状（Ｃ1 −Ｃ12）アルキル、（Ｃ3 −Ｃ12）シクロアルキル、アリール（Ｃ1 −Ｃ6 ）アルキルまたはヘテロアリール（Ｃ1 −Ｃ6 ）アルキル、（Ｃ1 −Ｃ6 ）アルコキシ（Ｃ1 −Ｃ6 ）アルキル、（Ｃ1 −Ｃ12）アルコキシ、ハロ（Ｃ1 −Ｃ12）アルキル、（Ｃ1 −Ｃ12）ハロアルコキシ、（Ｃ1 −Ｃ12）アルキルチオ；
任意に置換されたアリール基；
任意に置換されたヘテロアリール基；
下記式の基
【化２】
2005508897.tif 000002
式中、Ｂは水素、（Ｃ1 −Ｃ12）アルキル、または任意に置換されたアリール；
未置換またはモノ−置換ピラゾリル、ピリジル、イミダゾリル、ピラゾリニル、イミダゾリニルまたはアクリジニルを表し、該置換基は（Ｃ1 −Ｃ6 ）アルキル、（Ｃ1 −Ｃ6 ）アルコキシ、フルオロ、クロロ、およびフェニルからなる群から選ばれる；
（ｆ）下記式の基
【化３】
2005508897.tif 000003
式中、ＣおよびＤは、同一でも異なっていてもよいが、それぞれ独立に炭素、酸素、（Ｃ1 −Ｃ12）アルキル窒素、または（Ｃ1 −Ｃ12）アシル窒素を表し；
Ｒ３  およびＲ４  はそれぞれ水素または（Ｃ1 −Ｃ12）アルキルであり；
前記フェニル部分は任意に（Ｃ1 −Ｃ12）アルキル、（Ｃ1 −Ｃ12）アルコキシ、フルオロまたはクロロで置換されていてもよく、
ｎは１〜８の整数であり、かつ
ｍは０〜３の整数である
および
ナフトピラン、スピロオキサジン、１種以上の非ホトクロミック染料、またはそれらの組み合わせからなる群から選ばれるホトクロミック化合物
を含む組成物。
【請求項２】
Ｘはイオウまたは酸素であり；
Ｒ’、Ｒ’’は、同一であっても異なっていてもよく、それぞれ水素、ニトロ、シアノ、アリル、フルオロ、クロロ、ブロモ、トリフルオロメチル、トリクロロメチル、ピロリジノ、ピペリジノ、モルホリニル、フェニル、ベンジル；直鎖状もしくは分岐状（Ｃ1 −Ｃ6 ）アルキル、（Ｃ1 −Ｃ6 ）アルコキシ、または−ＯＣＯＲもしくは−ＣＯＯＲであり、ここにＲは水素、（Ｃ1 −Ｃ6 ）アルキル、（Ｃ3 −Ｃ6 ）シクロアルキルであり；
Ａ’およびＡ’’は、同一であっても異なっていてもよく、それぞれ独立に
直鎖状もしくは分岐状（Ｃ1 −Ｃ12）アルキル、（Ｃ3 −Ｃ6 ）シクロアルキル、アリール（Ｃ1 −Ｃ4 ）アルキルまたはヘテロアリール（Ｃ1 −Ｃ4 ）アルキル、（Ｃ1 −Ｃ6 ）アルコキシ（Ｃ1 −Ｃ6 ）アルキル；
フェニルまたはナフチルから選ばれる、未置換、モノ−もしくはジ−置換アリール；
フリル、チエニル、ピリル、インドリル、ベンゾフリル、ベンゾチエニル、ピリジル、ジベンゾフリル、ジベンゾチエニルまたはカルバゾリルであり、その置換基がニトロ、アミノ、シアノ、ヒドロキシ、エポキシ、ヒドロキシエトキシ、メトキシエトキシ、ヒドロキシエトキシエトキシ、メトキシエトキシエトキシ、フルオロ、クロロ、ブロモ、ヨード、ビニル、アリル、トリフルオロメチル、フェニル、（Ｃ1 −Ｃ6 ）アルキル、（Ｃ1 −Ｃ6 ）アルコキシ、シクロ（Ｃ3 −Ｃ6 ）アルキル、シクロ（Ｃ1 −Ｃ6 ）アルコキシ、（Ｃ1 −Ｃ6 ）アルキルアミノ、ジ（Ｃ1 −Ｃ6 ）アルキルアミノ、ジアリールアミノ、フェニルアセチレニルまたはフェニルビニルである未置換もしくはモノ−置換ヘテロアリール；
Ｎ（Ｃ1 −Ｃ6 ）アルキルピペラジノ、Ｎ−アリール−ピペリジノ、アジリジノ、インドリノ、ピロリジノ、ピロリノ、ピペリジノ、（Ｃ1 −Ｃ4 ）アルキルピペリジノ、ジ（Ｃ1 −Ｃ4 ）アルキルピペリジノ、４−ピペリジノピペリジノ、モルホリノ、２，６−ジ（Ｃ1 −Ｃ4 ）アルキルモルホリノ、チオモルホリノ、チオアゾリジノ、テトラヒドロキノリノまたはピリル；
−Ｎ（Ｒ1 ）Ｒ2 、ＣＯＮ（Ｒ1 ）Ｒ2 、ここに、Ｒ1 およびＲ2 は、同一であっても異なっていてもよく、それぞれ独立に水素、（Ｃ1 −Ｃ6 ）アルキル、（Ｃ3 −Ｃ6 ）シクロアルキル、フェニル、または−ＯＣＯＲ、−ＣＯＯＲもしくは−ＣＯＲ（ただし、Ｒは水素、（Ｃ1 −Ｃ6 ）アルキル、（Ｃ3 −Ｃ6 ）シクロアルキルまたはフェニルであり； 
ｎは１〜６の整数であり、かつ
ｍは０〜２の整数である
ことを特徴とする請求項１に記載の組成物。
【請求項３】
Ｘはイオウであり、
Ｒ’、Ｒ’’は、同一であっても異なっていてもよく、それぞれ独立に水素、ニトロ、シアノ、アリル、フルオロ、クロロ、ブロモ、ピロリジノ、ピペリジノ、モルホリニル、フェニル、ベンジル、（Ｃ1 −Ｃ4 ）アルキルまたは（Ｃ1 −Ｃ4 ）アルコキシであり；
Ａ’およびＡ’’は、同一であっても異なっていてもよく、それぞれ独立に
直鎖状もしくは分岐状（Ｃ1 −Ｃ4 ）アルキル、（Ｃ3 −Ｃ6 ）シクロアルキル；
未置換、モノ−もしくはジ−置換フェニル、置換基はニトロ、アミノ、アシル、シアノ、メトキシ、エトキシ、メトキシエトキシ、フルオロ、クロロ、ビニル、アリル、メトキシカルボニル、エトキシカルボニル、（Ｃ1 −Ｃ4 ）アルキル、ジ（Ｃ1 −Ｃ4 ）アルキルアミノ、ピペラジノ、ピペリジノ、アリールピペリジノ、モルホリノ、ピロリジノ、アジリジノ、アクリロキシ、メタクリロキシ、フェニルアセチレニル、フェニルビニル；
未置換、もしくは（Ｃ1 −Ｃ4 ）アルキルまたはフェニルの置換基でモノ−置換されたフリル、チエニルもしくはピリルであり；
ｎは１〜４の整数であり、かつ
ｍは０〜２の整数である
ことを特徴とする請求項１に記載の組成物。
【請求項４】
５，５’−ビス［３−（ｐ−メトキシフェニル）−［３Ｈ］−ナフト［２，１−ｂ］ピラン−３−イル］−２，２’−ビチオフェン；
５，５’−ビス［３−（ｐ−メチルフェニル）−［３Ｈ］−ナフト［２，１−ｂ］ピラン−３−イル］−２，２’−ビチオフェン；
５，５’−ビス［３−（ｐ−フルオロフェニル）−［３Ｈ］−ナフト［２，１−ｂ］ピラン−３−イル］−２，２’−ビチオフェン；
５，５’−ビス［３−（ｏ−フルオロフェニル）−［３Ｈ］−ナフト［２，１−ｂ］ピラン−３−イル］−２，２’−ビチオフェン；
５，５’’’−ビス［３−（ナフタレン−２−イル）−［３Ｈ］−ナフト［２，１−ｂ］ピラン−３−イル］［２，２’，５’，２’’，５’’，２’’’］−クワテルチオフェン；または
５，５’’’−ビス［３−（ｏ−フルオロフェニル）−［３Ｈ］−ナフト［２，１−ｂ］ピラン−３−イル］［２，２’，５’，２’’，５’’，２’’’］−クワテルチオフェンからなる群から選ばれる化合物を含む組成物。